(57)【特許請求の範囲】
【請求項１】
体腔内に挿入される可撓性シースと、
この可撓性シース内に進退自在に挿入され、進退操作される操作ワイヤと、
この操作ワイヤの先端に設けられ、前記操作ワイヤの進退により前記可撓性シースの先端開口より突没する粘液吸収性の吸液体と、
前記可撓性シースの先端開口に設けられ、該先端開口を閉塞し、かつ前記操作ワイヤを前進させたときに前記吸液体により押し出され、該先端開口を開口する栓と、
を備えることを特徴とする内視鏡用粘液採取装置。
【請求項２】
体腔内に挿入される可撓性シースと、
この可撓性シース内に進退自在に挿入され、進退操作される操作ワイヤと、
この操作ワイヤの先端に設けられ、前記操作ワイヤの進退により前記可撓性シースの先端開口より突没する粘液吸収性の吸液体と、
前記可撓性シースの先端開口に設けられ、該先端開口を閉塞し、かつ前記操作ワイヤを前進させたときに前記吸液体により押し破られて該先端開口から前記吸液体を突き出し可能な薄膜と、
を備えることを特徴とする内視鏡用粘液採取装置。
【請求項３】
前記吸液体は軟性な連結部材を介して前記操作ワイヤの先端に接続されていることを特徴とする請求項１または請求項２に記載の内視鏡用粘液採取装置。
【発明の詳細な説明】
【０００１】
【発明の属する技術分野】
本発明は、体腔内の粘液を採取するための内視鏡用粘液採取装置に関する。
【０００２】
【従来の技術および発明が解決しようとする課題】
内視鏡のチャンネルを通じて体腔内に挿入し、患部に薬剤を塗布したり、粘液等を除去するための綿棒が、実公昭５６−４１７１７号公報において知られている。この綿棒は、棒状部材の先端部に螺子状の溝部を形成すると共に、この溝付き先端部に、吸水性部材を保持した熱可塑性の管状部材の基端部分を被嵌した後、その基端部を熱成形して、上記螺子状の溝部に係合したものである。このような構造の綿棒にあっては、綿棒自体を直接に体腔内へ挿入するため、綿棒の挿入過程で粘液等が付着するため、特定の患部に対して薬剤を塗布したり、特定の患部における粘液等を除去したりする際の効率が悪い。また、このような綿棒を用いて採取した粘液等を仮に検査する場合には精度の高い検査を行うことが出来ない。
【０００３】
また、実公昭５６−３１２０３号公報で知られた内視鏡用綿棒は、先端部に水分を吸収する部材を有する内管と、この内管が内部において移動可能な外管とからなっている。従って、この綿棒は内管及び外管の二重管になっているので、その外径が太くなり、また、可撓性が悪く、内視鏡のチャンネル等に挿入しにくくなり、粘液を採取する作業が困難なものであった。
【０００４】
さらに、特公表６３−５０１２７３号公報において知られる粘液サンプル採取装置の構成は、前述した実公昭５６−３１２０３号公報でのものとほぼ同じであり、同じような問題点がある。
【０００５】
（本発明の目的）
本発明は、前記問題点に着目してなされたものであり、その目的とするところは、体腔内の所望の粘液を確実かつ容易に採取する事ができる内視鏡用粘液採取装置を提供することにある。
【０００６】
【課題を解決するための手段および作用】
請求項１に係る発明は、体腔内に挿入される可撓性シースと、この可撓性シース内に進退自在に挿入され、進退操作される操作ワイヤと、この操作ワイヤの先端に設けられ、前記操作ワイヤの進退により前記可撓性シースの先端開口より突没する粘液吸収性の吸液体と、前記可撓性シースの先端開口に設けられ、該先端開口を閉塞し、かつ前記操作ワイヤを前進させたときに前記吸液体により押し出され、該先端開口を開口する栓と、を備えることを特徴とする内視鏡用粘液採取装置である。
【０００７】
請求項２に係る発明は、体腔内に挿入される可撓性シースと、この可撓性シース内に進退自在に挿入され、進退操作される操作ワイヤと、この操作ワイヤの先端に設けられ、前記操作ワイヤの進退により前記可撓性シースの先端開口より突没する粘液吸収性の吸液体と、前記可撓性シースの先端開口に設けられ、該先端開口を閉塞し、かつ前記操作ワイヤを前進させたときに前記吸液体により押し破られて該先端開口から前記吸液体を突き出し可能な薄膜と、を備えることを特徴とする内視鏡用粘液採取装置である。
請求項３に係る発明は、前記吸液体は軟性な連結部材を介して前記操作ワイヤの先端に接続されていることを特徴とする請求項１または請求項２に記載の内視鏡用粘液採取装置である。
【０００８】
【発明の実施の形態】
［第１実施形態］
図１を参照して本発明の第１実施形態に係る内視鏡用粘液採取装置について説明する。
【０００９】
この内視鏡用粘液採取装置は可撓性シース１を有し、この可撓性シース１の先端は開放する状態で開口している。可撓性シース１の後端側部分にはグリップ２が設けられている。可撓性シース１の開口はグリップ２の後端にまで連通している。
【００１０】
可撓性シース１内には操作ワイヤ３が内装され、操作ワイヤ３の後端には硬質な操作棒４が固着されている。操作棒４は前記グリップ２を貫通して後方へ延出しており、操作棒４の後端部には進退操作用のつまみ５が固着されている。グリップ２には操作棒４を貫通する孔２ａとこの貫通部分を液密的にシールするＯリング２ｂが設けられている。
【００１１】
前記操作ワイヤ３の先端部分には固定部材６が固着され、この固定部材６の先端側部分には紙または樹脂などで構成された連結部材７が取り付けられるようになっている。前記連結部材７の先端部には綿などで構成された吸水（液）体８が固着されている。
【００１２】
このように構成された内視鏡用粘液採取装置を使用する場合、可撓性シース１を、例えば、予め管腔臓器内に挿入した図示しない内視鏡のチャンネルを通じて体腔内の所定部位に導き入れ、つまみ５により操作ワイヤ３を押し引きして、その部位の粘液部分に吸水体８を押し付けて粘液を採取する。
【００１３】
この実施形態によれば、体腔内の所望の粘液のみを確実かつ容易に採取する事ができる。また、操作ワイヤ３の先端に吸水体８を設ける構成であるから、可撓性シース１の外径を細く、かつその可撓性シース１の可撓性を向上させることができる。
【００１４】
［第２実施形態］
図２（ａ）を参照して本発明の第２実施形態に係る内視鏡用粘液採取装置について説明する。第１実施形態と同一の構成については、同一符号を付し、その詳細な説明を省略する。
【００１５】
前記操作ワイヤ３はステンレスなどの金属製ワイヤからなり、この操作ワイヤ３の先端領域の部分には樹脂製のコーティング９が形成されている。操作ワイヤ３の先端部分には前記コーティング９を設けた外周部分を被覆するように前記吸収体８が固着されている。
【００１６】
この実施形態によれば、操作ワイヤ３の先端が吸水体８まで延びているため、強度アップが図られる。また、前記コーティング９により、操作ワイヤ３に吸水体８を接着し易くしている。
【００１７】
［第３実施形態］
図２（ｂ）を参照して本発明の第３実施形態に係る内視鏡用粘液採取装置について説明する。第１実施形態と同一の構成については、同一符号を付し、その詳細な説明を省略する。
【００１８】
この実施形態では前記固定部材６の先端側部分が筒状に構成され、その筒状部１０の内周にはめねじ１１が形成されている。一方、連結部材７の後端外周部分にはおねじ１２が形成され、このおねじ１２を前記固定部材６のめねじ１１にねじ込むことにより固定部材６に連結部材７が着脱自在に固定される。
【００１９】
この実施形態によれば、吸水体８が操作ワイヤ３に固着した固定部材６から容易に着脱交換することができるため、粘液を採取した吸水体８をすぐに抽出液などに付けることができる。
【００２０】
［第４実施形態］
図３（ｃ）を参照して本発明の第４実施形態に係る内視鏡用粘液採取装置について説明する。第１実施形態と同一の構成については、同一符号を付し、その詳細な説明を省略する。
【００２１】
可撓性シース１の先端開口部に生体吸収部材で構成された栓１５が装着され、可撓性シース１を体腔内に挿入し、所望の部位に達した時、操作ワイヤ３を押し込み、栓１５を可撓性シース１の先端から押し出して外し、その後、前述したと同様にして粘液を採取するようにしたものである。
【００２２】
この実施形態によれば、可撓性シース１の先端開口部に栓１５が装着されているから可撓性シース１を体腔内に挿入する際においてのコンタミネェーションを防止することができる。
【００２３】
［第５実施形態］
図３（ｄ）を参照して本発明の第５実施形態に係る内視鏡用粘液採取装置について説明する。第１実施形態と同一の構成については、同一符号を付し、その詳細な説明を省略する。
【００２４】
可撓性シース１の先端開口部に薄膜１６を設けたものである。この薄膜１６は、フッ素樹脂材を固着するか、または可撓性シース１の先端部分を熱加工して、薄膜１６を形成するようにしても良い。
【００２５】
そして、所望の部位に挿入した時、操作ワイヤ３を押し込む事により、薄膜１６を吸水体８で押し破り、所望の粘液を採取するようにしたものである。
【００２６】
この実施形態によれば、体腔内に可撓性シース１を挿入する際において、薄膜１６によりコンタミネェーションを防止できる。
【００２７】
［第６実施形態］
図３（ｅ）を参照して本発明の第６実施形態に係る内視鏡用粘液採取装置について説明する。第１実施形態と同一の構成については、同一符号を付し、その詳細な説明を省略する。
【００２８】
可撓性シース１の先端内周部にリング状のＸ線不透過マーカー１７を設け、Ｘ線下で挿入した可撓性シース１の位置を確認することが出来るようにしたものである。Ｘ線不透過マーカー１７は、例えばプラチナ、ステンレス等のＸ線不透過性材料によって形成されている。尚、Ｘ線不透過マーカー１７は可撓性シース１の外周またはそのシースと一体に構成しても良い。
【００２９】
この実施形態によれば、Ｘ線透視下で体腔内に可撓性シース１を挿入する際においての視認性を向上させることができる。
【００３０】
［第７実施形態］
図４を参照して本発明の第７実施形態に係る内視鏡用粘液採取装置について説明する。第１実施形態と同一の構成については、同一符号を付し、その詳細な説明を省略する。
【００３１】
この実施形態では、操作ワイヤ３の先端側部分の外周に樹脂コーティング部１８を設け、その樹脂コーティング部１８の外周に吸収性の糸１９を巻き付け、密着性を良好にしたものである。
この実施形態によれば、吸液体として操作ワイヤ３の先端部外周に巻き付ける糸１９としたことにより、より細径化を図れる。
【００３２】
［第８実施形態］
図５を参照して本発明の第８実施形態に係る内視鏡用粘液採取装置について説明する。第１実施形態と同一の構成については、同一符号を付し、その詳細な説明を省略する。
【００３３】
図５（ａ）で示すように、操作ワイヤ３の先端に設けた固定部材６に２枚の紙状吸水体２１を先端が開放するように設けたものである。これによれば、２ケ所の粘液をそれぞれの吸水体で採取できるため、より多くの粘液を採取することができる。
【００３４】
この場合、例えば、図５（ｂ）で示すように、超弾性合金で構成された紙状非吸水部材２２に紙状吸水部材２１を張り付け、それらの先端部が開放するように構成され、所望の部位に弾性的に接触するように構成したものでもよい。
【００３５】
［第９実施形態］
図６を参照して本発明の第９実施形態に係る内視鏡用粘液採取装置について説明する。第１実施形態と同一の構成については、同一符号を付し、その詳細な説明を省略する。
【００３６】
操作ワイヤ３の先端に棒状の吸水体２５を設け、この吸水体２５の外周には複数の周回溝２６を設け、または螺旋状の溝を設けている。この溝２６を設けることによりその溝２６内に粘液を貯めて効率よく採取することが出来る。従って、この実施形態によれば、比較的簡単な構造で粘液を確実に採取することができる。
【００３７】
［第１０実施形態］
図７を参照して本発明の第１０実施形態に係る内視鏡用粘液採取装置について説明する。第１実施形態と同一の構成については、同一符号を付し、その詳細な説明を省略する。
【００３８】
可撓性シース１の先端に筒状の吸水体２７を嵌着し、この吸水体２７が位置する可撓性シース１の外周壁に複数の側孔２８を設け、吸水体２７の先端および側孔２８から粘液を取り込んで吸水体２７に吸収し、粘液を採取するようにしたものである。この実施形態によれば、比較的簡単な構造で粘液を採取することが可能である。
【００３９】
＜付記＞
１．体腔内に挿入される可撓性シースと、
この可撓性シース内に進退自在に挿通された操作ワイヤと、
この操作ワイヤの先端に設けられ、前記操作ワイヤの進退操作により可撓性シースの先端の開口より突没する粘液吸収性の吸液体とを備える事を特徴とする内視鏡用粘液採取装置。
２．前記吸液体は、軟性な連結部材を介して前記操作ワイヤの先端に接続されている事を特徴とする請求項１に記載の内視鏡用粘液採取装置。
【００４０】
３．第１項において、連結部材の先端に吸液体を設け、連結部材の基端が前記ワイヤの先端に脱着可能に接続されている事を特徴とする内視鏡用粘液採取装置。
４．第１項において、可撓性シースの基端部に操作部を設けた事を特徴とする内視鏡用粘液採取装置。
５．第４項において、操作部の後端側から吸液体を操作する操作ワイヤが延出するように構成した事を特徴とする内視鏡用粘液採取装置。
６．第１項において、吸液体は綿で構成された事を特徴とする内視鏡用粘液採取装置。
【００４１】
７．第１項において、可撓性シース部の先端開口部に栓部材を設けた事を特徴とする内視鏡用粘液採取装置。
８．第６項において、栓部材は、可撓性シースの先端部と一体に構成された事を特徴とする内視鏡用粘液採取装置。
９．第７項において、栓部材は、生体吸収性ポリマーからなる事を特徴とする内視鏡用粘液採取装置。
【００４２】
１０．体腔内に挿入される可撓性シースと、
可撓性シースの先端の開口部に設けた粘液吸収性の吸液体と、
前記粘液吸収体を固定した可撓性シースの先端部の外周に前記粘液吸収体に通じるように設けた開口部とを具備した事を特徴とする内視鏡用粘液採取装置。
【００４３】
１１．体腔内に挿入される可撓性シースと、
この可撓性シース内に進退自在に挿通された操作ワイヤと、
この操作ワイヤの先端に設けられ、前記操作ワイヤの進退操作により可撓性シースの先端の開口より突没する粘液吸収性の吸液体と、
この吸液体の外周に形成された溝と
を備える事を特徴とする内視鏡用粘液採取装置。
【００４４】
【発明の効果】
以上説明したように本発明の内視鏡用粘液採取装置は、体腔内に挿入される可撓性シース内に進退自在に挿通された操作ワイヤの先端に粘液吸収性の吸液体を設け、前記操作ワイヤの進退操作により可撓性シースの先端の開口より粘液吸収性の吸液体を必要に応じて突没できるようにしたから、粘液を採取する際のコンタミネーションを防止する事が出来る。また、可撓性シースの外径を細く、かつその可撓性シースの可撓性を容易に向上させることができるという格別な効果を奏する。
【図面の簡単な説明】
【図１】本発明の第１実施形態に係る内視鏡用粘液採取装置の縦断面図。
【図２】（ａ）は本発明の第２実施形態に係る内視鏡用粘液採取装置の縦断面図、
（ｂ）は本発明の第３実施形態に係る内視鏡用粘液採取装置の縦断面図。
【図３】本発明の第２〜６実施形態に係る内視鏡用粘液採取装置の縦断面図。
【図４】（ａ）は本発明の第７実施形態に係る内視鏡用粘液採取装置の縦断面図、
（ｂ）はその先端部の斜視図。
【図５】（ａ）は本発明の第８実施形態に係る内視鏡用粘液採取装置の縦断面図、
（ｂ）はその先端部の斜視図。
【図６】（ａ）は本発明の第９実施形態に係る内視鏡用粘液採取装置の縦断面図、
（ｂ）はその先端部の斜視図。
【図７】本発明の第１０実施形態に係る内視鏡用粘液採取装置の縦断面図。
【符号の説明】
１．可撓性シース
２．グリップ
３．操作ワイヤ
４．操作棒
５．つまみ
６．固定部材
７．連結部材
８．吸水体
９．コーティング
【図１】
0004217343.tif 000002
【図２】
0004217343.tif 000003
【図３】
0004217343.tif 000004
【図４】
0004217343.tif 000005
【図５】
0004217343.tif 000006
【図６】
0004217343.tif 000007
【図７】
0004217343.tif 000008